【手続補正書】
【提出日】令和2年9月25日(2020.9.25)
【手続補正１】
【補正対象書類名】特許請求の範囲
【補正対象項目名】全文
【補正方法】変更
【補正の内容】
【特許請求の範囲】
【請求項１】
トナーの受入口と、受入装置側ガイドと、を有する受入装置に着脱可能なトナーカートリッジにおいて、
（１）容器であって、（１−１）トナーを収容するための収容部と、（１−２）前記収容部からトナーを前記受入口に向けて排出する為の排出口と、（１−３）前記受入装置側ガイドにガイドされるように構成されたカートリッジ側ガイドと、を有する容器と、
（２）開閉部材であって、（２−１）前記排出口を閉じるための閉じ部と、（２−２）前記受け入れ装置側ガイドに係合可能な係合部と、を有し、前記閉じ部に前記排出口を閉じさせる閉位置と、前記閉じ部に前記排出口を開かせる開位置と、の間を前記容器に対して移動するように構成された開閉部材と、
を有し、
前記トナーカートリッジが前記受入装置から取り外される際に、前記係合部は前記受け入れ装置側ガイドと係合することによって、前記開閉部材が前記開位置から前記閉位置へと移動するための力を受けるように構成されているトナーカートリッジ。
【請求項２】
前記トナーカートリッジは、少なくとも回転動作を伴って前記受入装置から取り外されるものであって、
前記トナーカートリッジの前記回転動作に伴って、前記係合部は前記開閉部材が前記排出口を閉塞するための力を受ける請求項１に記載のトナーカートリッジ。
【請求項３】
前記トナーカートリッジが前記受入装置から抜去される抜去方向において、前記係合部は前記カートリッジ側ガイドよりも下流側に配置される請求項１または２に記載のトナーカートリッジ。
【請求項４】
前記カートリッジ側ガイドは、前記抜去方向に沿って配置されている請求項３に記載のカートリッジ。
【請求項５】
前記トナーカートリッジが前記受入装置から抜き出される抜去方向に沿って、前記カートリッジ側ガイドと前記係合部が並べられている請求項１乃至４のいずれか１項に記載のトナーカートリッジ。
【請求項６】
前記トナーカートリッジをその長手方向に沿って見た際に、前記トナーカートリッジが前記受入装置から抜去される抜去方向に対して垂直に延びる第１の仮想線に前記カートリッジ側ガイドと前記係合部とを投影すると、前記カートリッジ側ガイドの投影領域の両端の間に前記係合部の投影領域の少なくとも一部が配置されることを特徴とした請求項１乃至５のいずれか１項に記載のカートリッジ。
【請求項７】
前記カートリッジ側ガイドは前記容器の長手方向に突出している少なくとも１つの突起部である請求項１乃至６のいずれか１項に記載のカートリッジ。
【請求項８】
前記係合部の先端は、前記容器の長手方向において前記容器の側壁よりも外側に配置されている請求項１乃至７のいずれか１項に記載のカートリッジ。
【請求項９】
前記容器は、前記トナーカートリッジが前記受入装置から取り外される際に操作される操作部を有する請求項１乃至８のいずれか１項に記載のカートリッジ。
【請求項１０】
前記開閉部材が前記排出口を閉じている際に前記操作部は、前記開閉部材が前記排出口を閉じる際に移動する閉じ方向において、前記開じ部の下流側端部よりも上流側、かつ前記係合部よりも下流側に配置されることを特徴とした請求項９に記載のトナーカートリッジ。
【請求項１１】
前記操作部は、Ｕ字形状を有する請求項９または１０に記載のトナーカートリッジ。
【請求項１２】
前記開閉部材は、前記係合部を２つ有し、前記２つの係合部は、前記開閉部材の長手方向における両側にそれぞれ設けられている請求項１乃至１１のいずれか１項に記載のトナーカートリッジ。
【請求項１３】
前記開閉部材には前記容器の長手方向において前記容器の全域に渡って延伸した延伸部を有し、前記係合部は前記延伸部の端部に設けられていることを特徴とした請求項１乃至１２のいずれか１項に記載のトナーカートリッジ。
【請求項１４】
前記開閉部材は、前記係合部を少なくとも２つ有し、前記延伸部の両端部にそれぞれ前記係合部が設けられていることを特徴とした請求項１３に記載のトナーカートリッジ。
【請求項１５】
前記延伸部は、少なくともその一部が金属製であることを特徴とした請求項１３又は１４に記載のトナーカートリッジ。
【請求項１６】
前記容器の長手方向に沿って並んでいる前記容器に設けられた２つの突起を有し、
前記開閉部材が前記排出口を閉じる際に、その移動方向における前記開じ部の下流側の端部は、前記２つの突起に近づく請求項１乃至１５のいずれか１項に記載のトナーカートリッジ。
【請求項１７】
前記受入装置は、前記受入口を開閉するための受入装置側開閉部材と、前記受入口を覆う位置に前記受入装置側開閉部材をロックするためのロック部と、を有するものであって、
前記２つの突起は、前記ロック部のロックを解除するように構成されている請求項１６に記載のトナーカートリッジ。
【請求項１８】
前記容器の長手方向に延びる第２の仮想線に前記２つの突起と前記排出口とを投影すると、前記排出口の投影領域の少なくとも一部が前記２つの突起の投影領域の間に挟まれる請求項１６又は１７に記載のトナーカートリッジ。
【請求項１９】
前記容器の長手方向に延びる第２の仮想線に前記２つの突起と前記排出口とを投影すると、前記排出口の投影領域の全部が前記２つの突起の投影領域の間に挟まれる請求項１６又は１７に記載のトナーカートリッジ。
【請求項２０】
前記容器は、前記受入装置から駆動力を受けるための駆動入力ギアを有する請求項１乃至１９のいずれか１項に記載のトナーカートリッジ。
【請求項２１】
前記容器は、前記駆動入力ギアが受けた駆動力によって前記収容部から前記排出口に向けて搬送するように構成された搬送部材を有する請求項２０に記載のトナーカートリッジ。
【請求項２２】
前記容器は、前記駆動入力ギアと係合して前記駆動力を受ける第２のギアを有する請求項２１に記載のトナーカートリッジ。
【請求項２３】
前記第２のギアは、前記搬送部材と同軸状に配置されている請求項２２に記載のトナーカートリッジ。
【請求項２４】
前記開閉部材が前記閉位置から前記開位置へ移動することに伴って、前記係合部は駆動入力ギアの軸線に近づく請求項１乃至２３のいずれか１項に記載のトナーカートリッジ。
【請求項２５】
前記容器は、実質的に円筒形状である請求項１乃至２４のいずれか１項に記載のトナーカートリッジ。
【請求項２６】
前記開閉部材は、前記容器に沿って前記容器の周りを回転可能に構成されている請求項１乃至２５のいずれか１項に記載のトナーカートリッジ。
【請求項２７】
前記容器は、前記閉じ部の端部を覆うことで前記開閉部材の移動をガイドするよう構成された開閉ガイドを有する請求項１乃至２６のいずれか１項に記載のトナーカートリッジ。
【請求項２８】
前記トナーカートリッジが前記受入装置に装着される際に、前記係合部は前記受け入れ装置側ガイドと係合することによって、前記開閉部材が前記閉位置から前記開位置へと移動するための力を受けるように構成されている請求項１乃至２７のいずれか１項に記載のトナーカートリッジ。
【請求項２９】
前記係合部は、前記容器の長手方向に突出している請求項１乃至２８のいずれか１項に記載のトナーカートリッジ。
【請求項３０】
前記係合部は、前記容器の長手方向において前記容器の側壁よりも外側に突出している請求項１乃至２９のいずれか１項に記載のトナーカートリッジ。
【請求項３１】
前記受入装置と、
請求項１乃至３０のいずれか１項に記載のトナーカートリッジと、
を有するトナー供給機構。